(57)【要約】【課題】大幅なコストの増大を招くことなく、発光形態を容易に変更できる照明装置を提供する。【解決手段】照明装置１を組み付ける場合、ホルダ１１の任意の位置に、パネル１０を接近させると、互いに異極同士である磁石１０ｃと磁石１１ｂとの間に作用する磁力により両者が吸引され、ホルダ１１の取り付け位置にパネル１０を装着することができる。このとき、磁石１０ｃ、１１ｂの中央の陰極端子１０ｂ、１１ａが接続することとなる。一方、パネル１０は、隣接するパネル１０の側縁をガイドとすることで、所定の取り付け位置に案内され、ここで陽極端子１０ｄは、ホルダ１１の取り付け位置に対するパネル１０の相対角度に応じて、陽極端子１１ｃ〜１１ｅのいずれかに接するか、又はいずれにも接しないようになっている。【選択図】図２
2013037803.tif 000002
【特許請求の範囲】
【請求項１】
外部の電力供給源に接続された電力提供部を備えたホルダと、
前記ホルダに取り付けられ、前記電力提供部から電力受ける受電部、及び前記受電部からの電力により発光する発光部を備えたパネルと、を有し、
前記ホルダに前記パネルを取り付ける際に、少なくとも一方が複数である前記電力提供部と前記受電部との通電組み合わせを変更することにより、前記発光部を異なる態様で発光させることを特徴とする照明装置。
【請求項２】
前記ホルダに前記パネルを取り付ける際に、少なくとも一方が複数である前記電力提供部と前記受電部との通電組み合わせを変更することにより、前記発光部を異なる照度で発光させることを特徴とする請求項１に記載の照明装置。
【請求項３】
前記ホルダに前記パネルを取り付ける際に、少なくとも一方が複数である前記電力提供部と前記受電部との通電組み合わせを変更することにより、前記発光部を異なる色で発光させることを特徴とする請求項１又は２に記載の照明装置。
【請求項４】
前記ホルダに前記パネルを取り付ける際に、少なくとも一方が複数である前記電力提供部と前記受電部との通電組み合わせを変更することにより、前記発光部を異なるサイクルで点滅させることを特徴とする請求項１〜３のいずれかに記載の照明装置。
【請求項５】
前記パネルは複数個設けられており、前記ホルダは、前記複数個のパネルの受電部に応じた複数の前記電力提供部と、各電力提供部への電力供給を許容もしくは遮断する制御装置とを備え、
前記電力提供部と前記受電部との通電組み合わせを変更するよう、前記ホルダに前記パネルを取り付けたとき、前記制御装置により前記パネルのいずれかを発光させることを特徴とする請求項１〜４のいずれかに記載の照明装置。
【請求項６】
前記パネルは点対称の形状を有し、前記ホルダの電力提供部は、前記ホルダに取り付けられた前記パネルの中心から等距離に複数個設けられており、前記ホルダに前記パネルを取り付ける際に、前記パネルを中心回りに回転変位させながら、前記電力提供部のいずれかと前記受電部とを導電可能に連結することを特徴とする請求項１〜５のいずれかに記載の照明装置。
【請求項７】
前記パネルは点対称の形状を有し、前記パネルの受電部は、前記パネルの中心から等距離に複数個設けられており、前記ホルダに前記パネルを取り付ける際に、前記パネルを中心回りに回転変位させながら、前記受電部のいずれかと前記電力供給部とを導電可能に連結することを特徴とする請求項１〜５のいずれかに記載の照明装置。
【請求項８】
前記電力提供部と前記受電部とは、導電可能に接触することを特徴とする請求項１〜７のいずれかに記載の照明装置。
【請求項９】
前記受電部は、前記電力提供部に接触する接触位置と、前記電力提供部に接触しない非接触位置との間で移動可能な端子を含むことを特徴とする特徴とする請求項８に記載の照明装置。
【請求項１０】
前記受電部は、複数の前記電力提供部のうちのいずれかを選択して接触するように移動可能となっている端子を含むことを特徴とする特徴とする請求項８に記載の照明装置。
【請求項１１】
前記電力提供部と前記受電部とは、非接触状態で導電可能であることを特徴とする請求項１〜７のいずれかに記載の照明装置。
【請求項１２】
磁力を用いて、前記ホルダに前記パネルを取り付けることを特徴とする請求項１〜１１のいずれかに記載の照明装置。
【発明の詳細な説明】
【技術分野】
【０００１】
本発明は、発光面から出射した光により異なる形態で照明を行うことができる照明装置に関する。
【背景技術】
【０００２】
近年、照明光源の多様化が進み、種々の照明装置が提案されている。ここで、インテリアデザインの向上という観点からは、例えば壁面等に取り付けて面発光させたいという要求がある。しかるに、例えば将来の光源として有望視されている有機ＥＬ等においては、現状では、大面積で発光するものは製造が難しいという問題がある。そこで、小サイズの有機ＥＬを組み合わせて、大面積の照明装置を構成しようとする試みがある。
【０００３】
ここで、例えば有機ＥＬ等のパネルをホルダに取り付ける場合、給電をどのように行うかという問題がある。特許文献１には、有機EL照明パネル用取付け装置として、上下両側にコの字の固定部材があり、サイドから複数の照明パネルをスライドさせて取り付け、片側にある電極により給電する手法や、背面に凹みを設けることで、前面より取り付け、片側にある電極により給電する手法が開示されている。一方、特許文献２には、非接触で給電する手法が記載されている。
【先行技術文献】
【特許文献】
【０００４】
【特許文献１】特開2007-172918号公報
【特許文献２】特開2009-159675号公報
【発明の概要】
【発明が解決しようとする課題】
【０００５】
ところで、複数の発光パネルを組み合わせた照明装置を使用する場合において、インテリアデザイン上、発光パネルの照度や色などの発光形態を適宜変更したい場合がある。或いは、細かい作業をする際には照度を上げ、寝る前は暗くするなど、状況に応じて明るさを変えたい場合もある。しかるに、特許文献１，２においても、部品自体を取り替えることにより発光形態を変更することは可能であるが、取り替えのたびに交換費用が発生し、ユーザーにとっては負担が大きいという問題がある。
【０００６】
本発明は、かかる従来技術の問題点に鑑みてなされたものであり、大幅なコストの増大を招くことなく、発光形態を容易に変更できる照明装置を提供することを目的とする。
【課題を解決するための手段】
【０００７】
請求項１に記載の照明装置は、
外部の電力供給源に接続された電力提供部を備えたホルダと、
前記ホルダに取り付けられ、前記電力提供部から電力受ける受電部、及び前記受電部からの電力により発光する発光部を備えたパネルと、を有し、
前記ホルダに前記パネルを取り付ける際に、少なくとも一方が複数である前記電力提供部と前記受電部との通電組み合わせを変更することにより、前記発光部を異なる態様で発光させることを特徴とする。
【０００８】
本発明によれば、前記ホルダに前記パネルを取り付ける際に、少なくとも一方が複数である前記電力提供部と前記受電部との通電組み合わせを変更可能となっているので、前記発光部を異なる態様で発光させることができる。
【０００９】
請求項２に記載の照明装置は、請求項１に記載の発明において、前記ホルダに前記パネルを取り付ける際に、少なくとも一方が複数である前記電力提供部と前記受電部との通電組み合わせを変更することにより、前記発光部を異なる照度で発光させることを特徴とする。これによりユーザーの嗜好にあった照明を提供でき、例えば細かい作業をする際には照度を上げ、寝る前は暗くするなど、状況に応じて明るさを変えることができる。
【００１０】
請求項３に記載の照明装置は、請求項１又は２に記載の発明において、前記ホルダに前記パネルを取り付ける際に、少なくとも一方が複数である前記電力提供部と前記受電部との通電組み合わせを変更することにより、前記発光部を異なる色で発光させることを特徴とする。これにより、ユーザーの嗜好にあった照明を提供でき、例えば仕事をする際には寒色系の光とし、寝る前は暖色系の光とするなど、状況に応じて発光色を変えることができる。
【００１１】
請求項４に記載の照明装置は、請求項１〜３のいずれかに記載の発明において、前記ホルダに前記パネルを取り付ける際に、少なくとも一方が複数である前記電力提供部と前記受電部との通電組み合わせを変更することにより、前記発光部を異なるサイクルで点滅させることを特徴とする。これにより、ユーザーの嗜好にあった照明を提供でき、例えば細かい作業をする際には連続点灯とし、癒されたいときは点滅させるなど、状況に応じて変えることができる。
【００１２】
請求項５に記載の照明装置は、請求項１〜４のいずれかに記載の発明において、前記パネルは複数個設けられており、前記ホルダは、前記複数個のパネルの受電部に応じた複数の前記電力提供部と、各電力提供部への電力供給を許容もしくは遮断する制御装置とを備え、前記電力提供部と前記受電部との通電組み合わせを変更するよう、前記ホルダに前記パネルを取り付けたとき、前記制御装置により前記パネルのいずれかを発光させることを特徴とする。前記制御装置により、ユーザーの嗜好にあった照明を提供でき、これにより、例えば細かい作業をする際には照度を上げ、寝る前は暗くするなど、状況に応じて明るさを変えることができる。
【００１３】
請求項６に記載の照明装置は、請求項１〜５のいずれかに記載の発明において、前記パネルは点対称の形状を有し、前記ホルダの電力提供部は、前記ホルダに取り付けられた前記パネルの中心から等距離に複数個設けられており、前記ホルダに前記パネルを取り付ける際に、前記パネルを中心回りに回転変位させながら、前記電力提供部のいずれかと前記受電部とを導電可能に連結することを特徴とする。前記パネルの外観形状は同じでありながら、発光形態を任意に変更できる。
【００１４】
請求項７に記載の照明装置は、請求項１〜５のいずれかに記載の発明において、前記パネルは点対称の形状を有し、前記パネルの受電部は、前記パネルの中心から等距離に複数個設けられており、前記ホルダに前記パネルを取り付ける際に、前記パネルを中心回りに回転変位させながら、前記受電部のいずれかと前記電力供給部とを導電可能に連結することを特徴とする。前記パネルの外観形状は同じでありながら、発光形態を任意に変更できる。
【００１５】
請求項８に記載の照明装置は、請求項１〜７のいずれかに記載の発明において、前記電力提供部と前記受電部とは、導電可能に接触することを特徴とする。これにより確実な給電を確保でき、更に安価で効率がよいという効果がある。本明細書で「端子」というときは、金属その他の導電性部材から形成されているものをいう。
【００１６】
請求項９に記載の照明装置は、請求項８に記載の発明において、前記受電部は、前記電力提供部に接触する接触位置と、前記電力提供部に接触しない非接触位置との間で移動可能な端子を含むことを特徴とする特徴とする。これにより不要な給電を回避できる。
【００１７】
請求項１０に記載の照明装置は、請求項８に記載の発明において、前記受電部は、複数の前記電力提供部のうちのいずれかを選択して接触するように移動可能となっている端子を含むことを特徴とする。これにより発光形態を変更できる。
【００１８】
請求項１１に記載の照明装置は、請求項１〜７のいずれかに記載の発明において、前記電力提供部と前記受電部とは、非接触状態で導電可能であることを特徴とする。これにより前記ホルダに対して前記パネルを完全に固定しなくても給電が可能になり、更にパネルをホルダより取り外したときに、いずれも端子が剥き出しにならないという効果がある。
【００１９】
請求項１２に記載の照明装置は、請求項１〜１１のいずれかに記載の発明において、磁力を用いて、前記ホルダに前記パネルを取り付けることを特徴とする。これにより前記ホルダから前記パネルを容易に脱着できるので便利である。尚、取り付け方法は、磁石に限らず、マジックテープ（登録商標）、粘着、吸盤、刺し込みなど種々の形態が考えられる。
【発明の効果】
【００２０】
本発明によれば、大幅なコストの増大を招くことなく、発光形態を容易に変更できる照明装置を提供することができる。
【図面の簡単な説明】
【００２１】
【図１】第１の実施の形態にかかる照明装置の斜視図である。
【図２】ホルダ１１の取り付け位置に対するパネル１０の相対角度と、パネル１０との照度との関係を示す図である。
【図３】本実施の形態の変形例を示す図である。
【図４】本実施の形態の別な変形例を示す図である。
【図５】第２の実施の形態にかかる、ホルダ１１の取り付け位置に対するパネル１０の相対角度と、パネル１０との発光色との関係を示す図である。
【図６】本実施の形態の別な変形例を示す図である。
【図７】本実施の形態の別な変形例を示す図である。
【図８】本実施の形態の変形例にかかるパネル１０とホルダ１１とを示す図である。
【図９】第３の実施の形態にかかる照明装置において、ホルダ１１の配線を示す概略図である。
【図１０】第４の実施の形態にかかる照明装置の断面図である。
【図１１】端子の変形例を示す図である。
【図１２】端子の別な変形例を示す図１１と同様な断面図である。
【図１３】別な変形例にかかる照明装置の斜視図である。
【図１４】端子の別な変形例を示す断面図である。
【図１５】端子の別な変形例を示す断面図である。
【図１６】端子の別な変形例を示す断面図である。
【図１７】別な変形例にかかる照明装置の斜視図である。
【図１８】別な変形例にかかる照明装置の概略図である。
【発明を実施するための形態】
【００２２】
（第１の実施の形態）
以下、添付した図面を参照しながら、本発明の実施形態を説明する。図１は、第１の実施の形態にかかる照明装置の斜視図であるが、１つのパネルを取り外して示している。
【００２３】
照明装置１は、複数個のパネル１０と、ホルダ１１と、矩形枠１２とからなり、図１では、ホルダ１１上であって、矩形枠１２の内側にパネル１０が６列８行に並べられている。各パネル１０は、同一の正方形板状であって、表面側に有機ＥＬ構造からなる発光部１０ａを有している。尚、有機ＥＬ構造については、電圧を変更することにより照度や発光色を変更できるものが、特開2010-262806号公報等に開示されている。
【００２４】
又、各パネル１０は、裏面側の中央に、陰極端子１０ｂと、陰極端子１０ｂの周囲に形成されたリング状の磁石１０ｃとを有し、更に１つの角部近傍に、陽極端子１０ｄを有している。陰極端子１０ｂと、陽極端子１０ｄとで受電部を構成する。
【００２５】
一方、板状のホルダ１１の上面は、パネル１０を敷き詰められるような平面状となっており、隣接するパネル１０の側縁にて形成される正方形の取り付け位置に応じて、その中央に、陰極端子１１ａと、陰極端子１１ａの周囲に形成されたリング状の磁石１１ｂ（但し、対向する磁石１０ｃとは異極の関係にある）とを有し、更に正方形の取り付け位置における３つの角部近傍に、陽極端子１１ｃ〜１１ｅを有している。陰極端子１１ａと、陽極端子１１ｃ〜１１ｅは、ホルダ１１の裏面から不図示の外部の電力供給源に接続されており、電力提供部を構成する。尚、陰極端子と陽極端子とは逆の関係でも良い。
【００２６】
照明装置１を組み付ける場合、ホルダ１１の任意の位置に、パネル１０を接近させると、互いに異極同士である磁石１０ｃと磁石１１ｂとの間に作用する磁力により両者が吸引され、ホルダ１１の取り付け位置にパネル１０を装着することができる。このとき、磁石１０ｃ、１１ｂの中央の陰極端子１０ｂ、１１ａが接続することとなる。一方、パネル１０は、隣接するパネル１０の側縁により形成される正方形の空間に嵌め込む形で、所定の取り付け位置に案内され、ここで陽極端子１０ｄは、ホルダ１１の取り付け位置に対するパネル１０の相対角度に応じて、陽極端子１１ｃ〜１１ｅのいずれかに接するか、又はいずれにも接しないようになっている。
【００２７】
図２は、ホルダ１１の取り付け位置に対するパネル１０の相対角度と、パネル１０との照度との関係を示す図であるが、パネルとホルダは同じ方向から見た透視図である。ここで、ホルダ１１において、陽極端子１１ｃには最も高い電圧が印加され、陽極端子１１ｄには中間の電圧が印加され、陽極端子１１ｅには最も低い電圧が印加されているものとする。
【００２８】
図２（ａ）に示すように、陽極端子１０ｄが陽極端子１１ｃに接触するような角度位相で、パネル１０をホルダ１１の取り付け位置（点線で示す）に取り付けると、パネル１０の発光部１０ａは最も明るく発光することとなる。
【００２９】
又、図２（ａ）の状態からパネル１０を９０度回転させてなる図２（ｂ）に示すように、陽極端子１０ｄが陽極端子１１ｄに接触するような角度位相で、パネル１０をホルダ１１の取り付け位置（点線で示す）に取り付けると、パネル１０の発光部１０ａは中間の明るさで発光することとなる。
【００３０】
更に、図２（ｂ）の状態からパネル１０を９０度回転させてなる図２（ｃ）に示すように、陽極端子１０ｄが陽極端子１１ｅに接触するような角度位相で、パネル１０をホルダ１１の取り付け位置（点線で示す）に取り付けると、パネル１０の発光部１０ａは最も暗く発光することとなる。
【００３１】
又、図２（ｃ）の状態からパネル１０を９０度回転させてなる図２（ｄ）に示すような角度位相で、パネル１０をホルダ１１の取り付け位置（点線で示す）に取り付けると、陽極端子１０ｄは、陽極端子１１ｃ〜１１ｅのいずれかにも接触しないので、パネル１０の発光部１０ａは発光しない状態となる。
【００３２】
以上より明らかであるが、図１に示す照明装置１において、ホルダ１１に対する各パネル１０の角度位相を変えることによって、個々のパネル１０の照度を変更できる。又、各パネル１０の角度位相は、一旦各パネル１０を取り付けた後にも、工具を用いることなく、素手で任意のパネル１０を磁力に抗して取り外し、角度位相を変更して再度取り付けるだけで照度を変更できるから、ユーザーが好みの照明デザインを容易に実現できる。
【００３３】
尚、陽極端子１１ｃ〜１１ｅに付与される電圧を一定とする代わりに、異なるサイクルで周期的に変化させることにより、例えばパネル１０の発光部１０ａに、図２（ａ）の状態では連続点灯、図２（ｂ）の状態では早いサイクルでの点滅、図２（ｃ）の状態では遅いサイクルでの点滅などを行わせることもできる。
【００３４】
図３は、本実施の形態の変形例を示す図である。図３の変形例では、パネル１０は、裏面側の中央に陰極端子１０ｂを配置し、４つの角部近傍にそれぞれ磁石１０ｃ（ここではＮ極をホルダ１１側に向けて）を配置している。更に、隣接する磁石１０ｃの間に、１つの陽極端子１０ｄを配置している。
【００３５】
これに対し、ホルダ１１は、隣接するパネル１０の側縁にて形成される正方形の取り付け位置（点線で示す）の中央に、陰極端子１１ａを配置し、４つの角部近傍にそれぞれ磁石１１ｂ（ここではＳ極をパネル１０側に向けて）を配置している。更に、隣接する磁石１１ｂの間に、それぞれ陽極端子１１ｃ〜１１ｆを４つ配置している。
【００３６】
ホルダ１１に対して、パネル１０を接近させると、同一配置関係の４つの磁石１０ｃ、１１ｂが吸引し合うことで、パネル１０を４通りの角度位相で取り付けることができる。このとき、陽極端子１０ｄが、中心から等距離の４つの陽極端子１１ｃ〜１１ｆのいずれかに接触することになるので、その角度位相に応じてパネル１０の発光形態を変更できる。
【００３７】
図４は、本実施の形態の別な変形例を示す図である。図４の変形例では、パネル１０は、裏面側の中央に陰極端子１０ｂを配置し、４つの角部近傍にそれぞれ磁石１０ｃ（ここでは対角線上の２つをＮ極、残りをＳ極として）を配置している。更に、隣接する磁石１０ｃの間に、１つの陽極端子１０ｄを配置している。
【００３８】
これに対し、ホルダ１１は、隣接するパネル１０の側縁にて形成される正方形の取り付け位置（点線で示す）の中央に、陰極端子１１ａを配置し、４つの角部近傍にそれぞれ磁石１１ｂ（対角線上の２つをＮ極、残りをＳ極として）を配置している。更に、隣接する磁石１１ｂの間に、陰極端子１１ａを挟んで２つの陽極端子１１ｄ、１１ｆを配置している。
【００３９】
ホルダ１１に対して、パネル１０を接近させると、同一配置関係にある対角線上の磁石１０ｃ、１１ｂがそれぞれ吸引し合うことで、パネル１０は２通りの角度位相で取り付けることができる。このとき、陽極端子１０ｄが、中心から等距離の２つの陽極端子１１ｄ、１１ｆのいずれかに接触することになるので、その角度位相に応じてパネル１０の発光形態を変更できる。
【００４０】
（第２の実施の形態）
図５は、第２の実施の形態にかかる、ホルダ１１の取り付け位置に対するパネル１０の相対角度と、パネル１０の発光色との関係を示す図であるが、パネルとホルダは同じ方向から見た透視図である。第２の実施の形態においては、ホルダ１１上における、隣接するパネル１０の側縁にて形成される正方形の取り付け位置に応じて、その中央に、陰極端子１１ａと、陰極端子１１ａの周囲に形成されたリング状の磁石１１ｂとを有するが、図５で上縁近傍の中央にのみ、陽極端子１１ｃを有している。陰極端子１１ａと、陽極端子１１ｃは、ホルダ１１の裏面から不図示の外部の電力供給源に接続されており、電力提供部を構成する。
【００４１】
一方、各パネル１０は、裏面側の中央に、陰極端子１０ｂと、陰極端子１０ｂの周囲に形成されたリング状の磁石１０ｃ（但し、対向する磁石１１ｂとは異極の関係にある）とを有し、更に上下左右の縁の近傍の中央に、４つの陽極端子１０ｄ〜１０ｇを有している。陰極端子１０ｂと、陽極端子１０ｄ〜１０ｇとで受電部を構成する。
【００４２】
本実施の形態においては、陰極端子１０ｂと陽極端子１０ｄとから給電を行うと、そのパネル１０は白色光を発光し、陰極端子１０ｂと陽極端子１０ｅとから給電を行うと、そのパネル１０は赤色光を発光し、陰極端子１０ｂと陽極端子１０ｆとから給電を行うと、そのパネル１０は青色光を発光し、陰極端子１０ｂと陽極端子１０ｇとから給電を行うと、そのパネル１０は黄色光を発光するようになっている。
【００４３】
つまり、図５（ａ）に示すように、陽極端子１０ｄが陽極端子１１ｃに接触するような角度位相で、パネル１０をホルダ１１の取り付け位置（点線で示す）に取り付けると、パネル１０の発光部１０ａは白色光を発光することとなる。
【００４４】
又、図５（ａ）の状態からパネル１０を９０度回転させてなる図５（ｂ）に示すように、陽極端子１０ｅが陽極端子１１ｃの取り付け位置（点線で示す）に接触するような角度位相で、パネル１０をホルダ１１に取り付けると、パネル１０の発光部１０ａは赤色光を発光することとなる。
【００４５】
更に、図５（ｂ）の状態からパネル１０を９０度回転させてなる図５（ｃ）に示すように、陽極端子１０ｆが陽極端子１１ｃの取り付け位置（点線で示す）に接触するような角度位相で、パネル１０をホルダ１１に取り付けると、パネル１０の発光部１０ａは青色光を発光することとなる。
【００４６】
又、図５（ｃ）の状態からパネル１０を９０度回転させてなる図５（ｄ）に示すように、陽極端子１０ｇが陽極端子１１ｃの取り付け位置（点線で示す）に接触するような角度位相で、パネル１０をホルダ１１に取り付けると、パネル１０の発光部１０ａは黄色光を発光することとなる。
【００４７】
尚、この場合、ホルダ１１への組み付け時に、パネル１０の各陽極端子の区別が付くように、各端子に、Ｗ、Ｒ、Ｂ、Ｙなどの符号やマークを刻印しても良い。又、パネル１０がＬＥＤ発光タイプの場合、図１８に示すように、端子１０ｃ、１０ｄ間に白色光を出射する発光素子ＬＤｗを配置し、端子１０ｃ、１０ｅ間に赤色光を出射する発光素子ＬＤｒを配置し、端子１０ｃ、１０ｆ間に青色光を出射する発光素子ＬＤｂを配置し、端子１０ｃ、１０ｇ間に黄色光を出射する発光素子ＬＤｙを配置することにより、角度位相に応じて給電する陽極端子１０ｄ〜１０ｇのいずれかを選択することで発光色を変更できる。尚、図１８は概略図であるため、端子の位置は実際と異なる場合もある。
【００４８】
更に、LED等を用いる場合、流れる電流で明るさが変わるため、ホルダ１１側の電圧は一定でも、パネル１０側の抵抗値を変えるだけで明るさが変化する。例えば、受電部と発光部の間にLEDと抵抗を挟んだ場合、その抵抗の抵抗値が小さいほど明るくなる。つまり、陽極端子１０ｄ〜１０ｇにそれぞれ接続された抵抗の抵抗値を異ならせることで、接続する端子毎に明るさを変えることができる。
【００４９】
図６は、本実施の形態の別な変形例を示す図である。図６の変形例では、パネル１０は、円盤状であり、裏面側の中央に陰極端子１０ｂを配置し、９０度間隔でそれぞれ磁石１０ｃ（ここではＮ極をホルダ１１側に向けて）を配置している。更に、隣接する磁石１０ｃの間に、それぞれ陽極端子１０ｄ〜１０ｇを４つ配置している。
【００５０】
これに対し、ホルダ１１は、円形の取り付け位置（点線で示す）の中央に、陰極端子１１ａを配置し、９０度間隔でそれぞれ磁石１１ｂ（ここではＳ極をパネル１０側に向けて）を配置している。更に、隣接する磁石１１ｂの間に、１つの陽極端子１１ｃを配置している。
【００５１】
ホルダ１１に対して、パネル１０を接近させると、同一配置関係にある４つの磁石１０ｃ、１１ｂが吸引し合うことで、パネル１０を４通りの角度位相で取り付けることができる。このとき、中心から等距離にある陽極端子１０ｄ〜１０ｇのいずれかが、陽極端子１１ｃに接触することになるので、その角度位相に応じてパネル１０の発光形態を変更できる。尚、本変形例においては、パネル１０が円形のため、隣接するパネルの側縁はガイドとしての機能が比較的弱いのであるが、磁石１０ｃ、１１ｂがガイドの機能を果たして、パネル１０の適切な組付けを支援するようになっている。
【００５２】
図７は、本実施の形態の別な変形例を示す図である。図７の変形例では、円盤状のパネル１０は、裏面側の中央に陰極端子１０ｂを配置し、９０度間隔で４つの磁石１０ｃ（ここでは対角線上の２つをＮ極、残りをＳ極として）を配置している。更に、隣接する磁石１０ｃの間に、陰極端子１０ｂを挟んで２つの陽極端子１０ｄ、１０ｅを配置している。
【００５３】
これに対し、ホルダ１１は、円形の取り付け位置（点線で示す）の中央に、陰極端子１１ａを配置し、９０度間隔で４つの磁石１１ｂ（対角線上の２つをＮ極、残りをＳ極として）を配置している。更に、隣接する磁石１１ｂの間に、１つの陽極端子１１ｃを配置している。
【００５４】
ホルダ１１に対して、パネル１０を接近させると、同一配置関係にある対角線上の磁石１０ｃ、１１ｂがそれぞれ吸引し合うことで、パネル１０は２通りの角度位相で取り付けることができる。このとき、中心から等距離にある陽極端子１０ｄ、１０ｅのいずれかが、陽極端子１１ｃに接触することになるので、その角度位相に応じてパネル１０の発光形態を変更できる。
【００５５】
図８は、本実施の形態の変形例にかかるパネル１０とホルダ１１とを示す図である。図８（ａ）の変形例においては、ホルダ１１の陽極端子１１ｃを、磁石１１ｂを取り巻く環状としている。よって、磁石１０ｃ、１１ｂの吸引力を利用して、パネル１０をホルダ１１に取り付けたとき、パネル１０の角度位相がいずれの方向であっても、パネル１０の陽極端子１０ｄとホルダ１１の陽極端子１１ｃが接触して導通するので、パネル１０を発光させることができる。但し、図８に示すように、パネル１０の周囲近傍に１つの検出用端子１０ｋを設け、ホルダ１１の対応する位置に９０度位相で、４つの検出用端子１１ｋを設けて、検出用端子１０ｋと、いずれかの検出用端子１１ｋの導通によって、パネル１０の角度位相を検出して、照度や発光色を変更することもできる。
【００５６】
一方、図８（ｂ）に示す例は、４つの検出用端子１１ｋを周方向に伸ばして円弧状にしたものであり、これにより検出用端子１０ｋと、いずれかの検出用端子１１ｋとの導通の範囲を広げることができるので有利である。
【００５７】
（第３の実施の形態）
図９は、第３の実施の形態にかかる照明装置において、ホルダ１１の配線を示す概略図である。ホルダ１１の陽極端子１１ｃ〜１１ｆは、それぞれ個別の配線Ｈ１〜Ｈ４を介して、制御装置ＣＯＮＴに接続されている。制御装置ＣＯＮＴは、配線Ｈ１〜Ｈ４のいずれかに通電できるようになっている。尚、図９では磁石を省略している。
【００５８】
本実施の形態によれば、パネル１０の陽極端子１０ｄが、ホルダ１１の陽極端子１１ｃ〜１１ｆのいずれかに接触するようにして取り付けた後、制御装置ＣＯＮＴが、配線Ｈ１にのみ通電したときは、陽極端子１０ｄが、ホルダ１１の陽極端子１１ｃに接触したパネル１０のみを発光させることが出来、配線Ｈ２にのみ通電したときは、陽極端子１０ｄが、ホルダ１１の陽極端子１１ｄに接触したパネル１０のみを発光させることが出来、配線Ｈ３にのみ通電したときは、陽極端子１０ｄが、ホルダ１１の陽極端子１１ｅに接触したパネル１０のみを発光させることが出来、配線Ｈ４にのみ通電したときは、陽極端子１０ｄが、ホルダ１１の陽極端子１１ｆに接触したパネル１０のみを発光させることが出来るのである。これにより、複数のパネル１０の発光パターンを変更できる。明らかであるが、制御装置ＣＯＮＴが通電する配線の数は任意である。
【００５９】
（第４の実施の形態）
図１０は、第４の実施の形態にかかる照明装置の断面図である。パネル１０は、自由状態で発光部１０ａ側を凸状として湾曲している。よって、図１０（ａ）に示すように、床面Ｇ等に載置した状態では、パネル１０の裏面に設けられた陽極端子１０ｄと陰極端子１０ｂは、床面に設置せず、例えば油分やゴミなどが付着する恐れが少ない。
【００６０】
一方、図１０（ｂ）に示すように、パネル１０をホルダ１１に取り付けた状態では、パネル１０の中央の磁石１０ｃと、ホルダ１１の磁石１１ｂとが吸引し合うことで、弾性変形によりパネル１０の湾曲が修正され、ホルダ１１の上面に密着するようになる。このとき、パネル１０の陽極端子１０ｄと陰極端子１０ｂは、ホルダ１１の陽極端子１１ｃと陰極端子１１ａとにそれぞれ接触することで、パネル１０を発光させることができる。尚、パネル１０を取り外すと、弾性により図１０（ａ）の状態に復帰することとなる。
【００６１】
図１１は、端子の変形例を示す図である。図１１に示すように、パネル１０の裏面側には、陽極端子１０ｄが、球状に露出している。一方、ホルダ１１の上面には、球状の孔１１ｈが形成され、その底部には金属製の陽極端子１１ｃが設けられている。陽極端子１１ｃは、ホルダ１１内を延在し、外部からの給電を受ける配線Ｈに接続されている。
【００６２】
パネル１０をホルダ１１に取り付ける場合、球状の陽極端子１０ｄを孔１１ｈに向かって押圧すると、孔１１ｈの入口が開くように弾性変形し、陽極端子１０ｄが内部に収まると弾性変形が戻ることで、孔１１ｈに陽極端子１０ｄが嵌合するようになっている。これによりパネル１０がホルダ１１に保持されるので磁石が不要である。又、陽極端子１０ｄは陽極端子１１ｃを介して配線Ｈに接続されるので、外部から陽極端子１０ｄ、１１ｂを介して給電できることとなる。同様な構成は陰極端子にも適用できる。尚、パネル１０をホルダ１１から引き剥がすように力を付与すると、球状の陽極端子１０ｄが孔１１ｈから脱落するので、簡単にパネル１０の着脱ができる。
【００６３】
図１２は、端子の別な変形例を示す図１１と同様な断面図である。本変形例においては、パネル１０の裏面側には、金属製の端子１０ｄが突出している。一方、ホルダ１１の上面には、パネル１０側から見て円形もしくは矩形状の孔１１ｈが形成され、その底部には、外部からの給電を受けるためにホルダ１１内を延在している配線Ｈが露出している。
【００６４】
本変形例によれば、パネル１０をホルダ１１に取り付けたときに、孔１１ｈ内に端子１０ｄが進入し、配線Ｈに接触するようになっているので、上述の実施の形態と同様に端子１０ｄを介して外部からパネル１０に給電できる。本変形例では、図１１に示す例に比べ、接触範囲を広くとれるから、パネル１０とホルダ１１との相対位置ズレを或る程度許容できるが、別途固定用の磁石、マジックテープ、粘着、吸盤、刺し込みなどが必要になる。
【００６５】
図１３は、別な変形例にかかる照明装置の斜視図である。図１３においては、パネル１０の互いに交差する側面１０ｘ、１０ｙが、それぞれ発光部１０ａの表面に対して傾いている。よって、任意のパネル１０を取り外すときは、矢印で示すように、側面１０ｘ、１０ｙの双方に沿った方向に抜き出せばよい。尚、側面１０ｘ、１０ｙのいずれかのみを傾けても良い。
【００６６】
図１４は、端子の別な変形例を示す断面図である。本変形例においては、パネル１０は、発光部に接続された平面状の陽極層１０ｐと、平面状の陰極層１０ｍとをそれぞれ水平方向に延在するように別個に設けている。陽極層１０ｐの一部の下方には、逆Ｌ字状の空間１０ｓがパネル１０内に形成され、下方の陰極層１０ｍに形成された開口１０ｎを貫いてパネル１０の下面まで延在している。開口１０ｎの内周には絶縁材が塗布されている。一方、陰極層１０ｍの一部の下方には、逆Ｌ字状の空間１０ｔがパネル１０内に形成され、パネル１０の下面まで延在している。両空間１０ｓ、１０ｔの内方側端部は、陽極層１０ｐから、陰極層１０ｍに形成された開口１０ｑを貫いてパネル１０の下面まで延在する長穴１０ｕに接続している。長穴１０ｕには、非導電性であって剛性のある棒状のスイッチ部材１０ｗが上下方向に延在し且つ長穴１０ｕに沿って水平方向移動可能に配置されている。空間１０ｓ内には、可撓性の導電部材からなる端子１０ｂが配置され、その内方端はスイッチ部材１０ｗの上部に固定されていると共に、その上面は陽極層１０ｐの下面に接しているが、開口１０ｎの絶縁材により陰極層１０ｍには接していない。一方、空間１０ｔ内には、可撓性の導電部材からなる端子１０ｄが配置され、その内方端はスイッチ部材１０ｗの中央付近に固定されていると共に、その上面は陰極層１０ｍの下面に接している。
【００６７】
図１４（ａ）に示すように、スイッチ部材１０ｗを長穴１０ｕ内で左方に移動させておくと、端子１０ｂの下端が逆Ｌ字状の空間１０ｓから押し出されて、パネル１０の下面から突出し、また端子１０ｄの下端が逆Ｌ字状の空間１０ｔから押し出されて、パネル１０の下面から突出するので、パネル１０をホルダ１１に取り付けたとき、端子１０ｂがホルダ１１の陽極側端子１１ｃに接続され、端子１０ｄがホルダ１１の陰極側端子１１ｃに接続される。これにより、陽極層１０ｐと陰極層１０ｍに給電できるから、パネル１０の発光部を発光させることができる。これに対し、図１４（ｂ）に示すように、スイッチ部材１０ｗを長穴１０ｕ内で右方に移動させておくと、端子１０ｂが逆Ｌ字状の空間１０ｓ内で引っ張られて、パネル１０の下面から退避し、また、端子１０ｄが逆Ｌ字状の空間１０ｔ内で引っ張られて、パネル１０の下面から退避するので、パネル１０をホルダ１１に取り付けたとき、端子１０ｂとホルダ１１の陽極側端子１１ｃ、及び端子１０ｄとホルダ１１の陰極側端子１１ｃとの接続が断たれる。これによりパネル１０の発光部を消灯させることができる。又、かかる状態では、端子１０ｂ、１０ｄがパネル１０内に引き込まれるので、パネル１０を取り外した際における不用意な通電等を回避でき、取り外した状態で床面においたときなど、例えば油分やゴミなどが付着する恐れが少ない。このような端子１０ｂ、１０ｄを複数対設けておき、また異なる電位差を付与された陽極側端子１１ｃと陰極側端子１１ｃを準備して、いずれかの端子１０ｂ、１０ｄを、電位差が異なるいずれかの陽極側端子１１ｃと陰極側端子１１ｃに接続するようにすれば、発光部の照度等を所望のように変更することができる（図１５の例も同様）。尚、端子１０ｂ、１０ｄのいずれかは、スイッチ部材１０ｗと切り離して固定状態としても良い。
【００６８】
図１５は、端子の別な変形例を示す図１４と同様な断面図である。本変形例においては、スイッチ部材は設けられておらず、逆Ｕ字状の空間１０ｓ内に、可撓性の導電部材からなる端子１０ｂのみが移動可能に配置されている。端子１０ｂは、図に示すように、空間１０ｓの長さに対して若干短い全長を有している。更に、端子１０ｂの一方の側（ここでは右側）の端部に、絶縁材１０ｖを接着固定している。ここでは、陰極層等は省略している。
【００６９】
図１５（ａ）に示すように、逆Ｕ字状の空間１０ｓの右側の穴から露出する端子１０ｂの右側端部（絶縁材１０ｖ）を不図示の工具等で押し上げると、逆Ｕ字状の空間１０ｓの左側の穴から左側端部が突出する。かかる状態で、パネル１０をホルダ１１に取り付けると、突出した端子１０ｂの左側端部が、ホルダ１１の陽極側端子１１ｃに接続されるので給電が行われる。これに対し、図１５（ｂ）に示すように、逆Ｕ字状の空間１０ｓの左側の穴から露出する端子１０ｂの左側端部を不図示の工具等で押し上げると、逆Ｕ字状の空間１０ｓの右側の穴から右側端部が突出する。かかる状態では、パネル１０をホルダ１１に取り付けたとき、突出した端子１０ｂの右側端部は、ホルダ１１の陽極側端子１１ｃと接触しないので、給電が行われない。又、端子１０ｂがパネル１０内に引き込まれるので、パネル１０を取り外した際における不用意な通電等を回避でき、取り外した状態で床面においたときなど、例えば油分やゴミなどが付着する恐れが少ない。
【００７０】
図１６は、端子の別な変形例を示す図１５と同様な断面図である。本変形例においては、図１５に示す例に対して、逆Ｕ字状の空間１０ｓの右側の穴から突出する端子１０ｂの右側端部に対向して、別な回路に接続される端子１１ｃ’を設けている。
【００７１】
図１６（ａ）に示すように、逆Ｕ字状の空間１０ｓの右側の穴から露出する端子１０ｂの右側端部を不図示の工具等で押し上げると、逆Ｕ字状の空間１０ｓの左側の穴から左側端部が突出する。かかる状態で、パネル１０をホルダ１１に取り付けると、突出した端子１０ｂの左側端部が、ホルダ１１の陽極側端子１１ｃに接続されるので、不図示の回路Ａから給電が行われる。これに対し、図１６（ｂ）に示すように、逆Ｕ字状の空間１０ｓの左側の穴から露出する端子１０ｂの左側端部を不図示の工具等で押し上げると、逆Ｕ字状の空間１０ｓの右側の穴から右側端部が突出する。かかる状態で、パネル１０をホルダ１１に取り付けると、突出した端子１０ｂの右側端部が、ホルダ１１の陽極側端子１１ｃ’に接続されるので、回路Ａとは異なる不図示の回路Ｂから給電が行われる。これにより発光部の照度を変えるなどの変更を行える。以上の変形例として、オルタネイトタイプのプッシュ型スイッチのように、孔内でバネ付勢されて突出した端子１０ｂを一度押し込むと、爪部に係合して孔内に押し込まれた状態を維持し、かかる端子１０ｂを再度押し込むと、爪部との係合が外れて端子１０ｂが再び孔から突出するような構成としても良い。
【００７２】
尚、以上述べた実施の形態では、給電用に接触型端子を用いたが、非接触型の給電手段を用いても良い。例えば図１７に示す例では、発光部に接続された受電部としての受電コイルＲＣをパネル１０に埋設し、ホルダ１１の対応する位置に、交流電源に接続された電力提供部としての送電コイルＳＣを埋設している。不図示の磁石の吸引力で、パネル１０をホルダ１１の所定位置に取り付けたとき、受電コイルＲＣが送電コイルＳＣに対峙するようになるので、電磁誘導を利用して非接触で給電を行うことができる。非接触型の給電としては、これ以外にも電波受信型、共鳴型などがある。
【符号の説明】
【００７３】
１０ パネル
１０ａ 発光部
１０ｂ 陰極端子
１０ｃ 磁石
１０ｄ 陽極端子
１０ｅ 陽極端子
１０ｆ 陽極端子
１０ｇ 陽極端子
１０ｋ 検出用端子
１０ｘ、１０ｙ 側面
１１ ホルダ
１１ａ 陰極端子
１１ｂ 磁石
１１ｃ 陽極端子
１１ｄ 陽極端子
１１ｅ 陽極端子
１１ｆ 陽極端子
１１ｈ 孔
１１ｋ 検出用端子
１２ 矩形枠
１４ ホルダ
Ｇ 床面
Ｈ 配線
Ｈ１ 配線
Ｈ２ 配線
Ｈ３ 配線
Ｈ４ 配線
ＲＣ 受電コイル
ＳＣ 送電コイル
【図１】
2013037803.tif 000003
【図３】
2013037803.tif 000004
【図４】
2013037803.tif 000005
【図６】
2013037803.tif 000006
【図７】
2013037803.tif 000007
【図９】
2013037803.tif 000008
【図１０】
2013037803.tif 000009
【図１１】
2013037803.tif 000010
【図１７】
2013037803.tif 000011
【図１８】
2013037803.tif 000012
【図２】
2013037803.tif 000013
【図５】
2013037803.tif 000014
【図８】
2013037803.tif 000015
【図１２】
2013037803.tif 000016
【図１３】
2013037803.tif 000017
【図１４】
2013037803.tif 000018
【図１５】
2013037803.tif 000019
【図１６】
2013037803.tif 000020